(57)【要約】      （修正有）【課題】ユーザが容易に判読でき、かつ、コンピュータでの認識を困難にさせて攻撃耐性を向上できるパスワード確認システム、パスワード確認システムの利用方法を提供する。【解決手段】パスワード確認システムは、表示画面にパスワードを隠す隠し領域３０を表示するモニタと、確認シート４０とを、隠し領域３０は、パスワードを形成するパスワード万線３１を備え、確認シート４０は、パスワード万線３１と干渉する万線を有する確認パターン４２を備え、隠し領域３０に重ね合わせられることにより、パスワード万線３１の形成領域にモアレパターンを発生させる【選択図】図３
2013061730.tif 000002
【特許請求の範囲】
【請求項１】
表示画面にパスワードを隠す隠し領域を表示する表示装置と、確認体とを備えるパスワード確認システムであって、
前記隠し領域は、パスワードを形成するパスワード万線を備え、
前記確認体は、
前記パスワード万線と干渉する万線を有する確認パターンを備え、
前記隠し領域に重ね合わせられることにより、前記パスワード万線の形成領域にモアレパターンを発生させること、
を特徴とするパスワード確認システム。
【請求項２】
請求項１に記載のパスワード確認システムにおいて、
前記隠し領域は、前記パスワード万線の背景に設けられ、前記確認パターンとは干渉しないパターンを有し、前記パスワード万線と同程度の色彩、濃度を有する背景領域を有すること、
を特徴とするパスワード確認システム。
【請求項３】
請求項１又は請求項２に記載のパスワード確認システムにおいて、
前記隠し領域は、前記パスワード万線を縁取るように構成され、前記パスワード万線に対して周期が半周期ずれており、前記パスワード万線と同程度の色彩、濃度を有する縁取り万線を備えること、
を特徴とするパスワード確認システム。
【請求項４】
請求項１から請求項３までのいずれか１項に記載のパスワード確認システムにおいて、
前記確認体は、前記確認パターンに対応する万線を有するフィルムを感光材上に載置して感光させ、前記感光材の未露光部分にホログラムを記録したホログラム層を備えること、
を特徴とするパスワード確認システム。
【請求項５】
請求項１から請求項４までのいずれか１項に記載のパスワード確認システムにおいて、
利用者がパスワードを入力装置する入力装置と、
制御部とを備え、
前記制御部は、
前記パスワードを生成し、
前記パスワードを隠す前記隠し領域を生成して、前記表示画面に表示し、
前記入力装置からの入力を受け付け、
前記入力装置の前記入力が生成した前記パスワードと一致する場合には、適合と判定し、前記入力装置の前記入力が生成した前記パスワードと一致する場合には、不適合と判定すること、
を特徴とするパスワード確認システム。
【請求項６】
請求項５に記載のパスワード確認システムの利用方法であって、
前記制御部が前記表示画面に表示された前記隠し領域に、前記確認体を重ね合わせて前記モアレパターンを発生させる確認体重ね合わせ工程と、
前記確認体重ね合わせ工程で発生させた前記モアレパターンに基づいて、利用者が前記パスワードを読み取るパスワード読み取り工程と、
前記読み取り工程で読み取った前記パスワードを、利用者が前記入力装置から入力するパスワード入力工程とを備えること、
を特徴とするパスワード確認システムの利用方法。
【発明の詳細な説明】
【技術分野】
【０００１】
本発明は、パスワードを表示し入力されたパスワードを確認するパスワード確認システム、パスワード確認システムの利用方法に関するものである。
【背景技術】
【０００２】
従来、ホームページへのコメントを無作為に書き込みしたり、データを無作為にダウンロードしたり、大量に無料メールアカウントを取得することを防ぐために、端末の画面上にパスワードを表示させ、手作業でパスワードを入力させる等の方法がとられていた。
しかし、従来の方法は、表示されたパスワードを機械読み取りして、パスワードを取得され、無作為に書き込み等がされてしまう場合があった。
【０００３】
これを防ぐために（アクセスしているのが人間であることを確認するために）、コンピュータでは識別できないが、人間の目では識別できる程度にパスワードの文字を少し歪ませたり、文字の一部隠して表示させることにより、コンピュータがパスワードを自動的に取得して処理できないような仕組みがとられている。このような仕組みは、ＣＡＰＴＣＨＡと呼ばれている。
しかし、ＣＡＰＴＣＨＡは、パスワードの機械読み取りを効果的に防止しようと文字を大きく歪ませると（例えば特許文献１）、ユーザにとっても、パスワードを判読しにくくなり、負担になってしまうという問題があった。
【先行技術文献】
【特許文献】
【０００４】
【特許文献１】特開２００９−１７５９８８号公報
【発明の概要】
【発明が解決しようとする課題】
【０００５】
本発明の課題は、ユーザが容易に判読でき、かつ、コンピュータでの認識を困難にさせて攻撃耐性を向上できるパスワード確認システム、パスワード確認システムの利用方法を提供することである。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
・第１の発明は、表示画面にパスワードを隠す隠し領域（３０，２３０）を表示する表示装置（２１）と、確認体（４０）とを備えるパスワード確認システムであって、前記隠し領域は、パスワードを形成するパスワード万線（３１，２３１）を備え、前記確認体（４０）は、前記パスワード万線と干渉する万線を有する確認パターン（４２）を備え、前記隠し領域に重ね合わせられることにより、前記パスワード万線の形成領域にモアレパターンを発生させること、を特徴とするパスワード確認システムである。
・第２の発明は、  第１の発明のパスワード確認システムにおいて、前記隠し領域（３０，２３０）は、前記パスワード万線（３１，２３１）の背景に設けられ、前記確認パターンとは干渉しないパターンを有し、前記パスワード万線と同程度の色彩、濃度を有する背景領域（３３，２３３）を有すること、を特徴とするパスワード確認システムである。
・第３の発明は、第１又は第２の発明のパスワード確認システムにおいて、前記隠し領域（３０）は、前記パスワード万線（３１）を縁取るように構成され、前記パスワード万線に対して周期が半周期ずれており、前記パスワード万線と同程度の色彩、濃度を有する縁取り万線（３２）を備えること、を特徴とするパスワード確認システムである。
・第４の発明は、第１から第３までのいずれかの発明のパスワード確認システムにおいて、前記確認体（４０）は、前記確認パターン（４２）に対応する万線を有するフィルム（５０）を感光材上に載置して感光させ、前記感光材の未露光部分にホログラムを記録したホログラム層（４１）を備えること、を特徴とするパスワード確認システムである。
・第５の発明は、第１から第４までのいずれかの発明のパスワード確認システムにおいて、利用者がパスワードを入力装置する入力装置（２２）と、制御部（１２）とを備え、前記制御部は、前記パスワードを生成し、前記パスワードを隠す前記隠し領域（３０，２３０）を生成して、前記表示画面に表示し、前記入力装置からの入力を受け付け、前記入力装置の前記入力が生成した前記パスワードと一致する場合には、適合と判定し、前記入力装置の前記入力が生成した前記パスワードと一致する場合には、不適合と判定すること、を特徴とするパスワード確認システムである。
・第６の発明は、第５の発明のパスワード確認システムの利用方法であって、前記制御部（１２）が前記表示画面に表示された前記隠し領域（３０，２３０）に、前記確認体（４０）を重ね合わせて前記モアレパターンを発生させる確認体重ね合わせ工程と、前記確認体重ね合わせ工程で発生させた前記モアレパターンに基づいて、利用者が前記パスワードを読み取るパスワード読み取り工程と、前記読み取り工程で読み取った前記パスワードを、利用者が前記入力装置（２２）から入力するパスワード入力工程とを備えること、を特徴とするパスワード確認システムの利用方法である。
【発明の効果】
【０００８】
本発明によれば、以下の効果を奏することができる。
・第１の発明は、確認体を隠し領域に重ね合わせる場合に、確認体の位置を調整することにより、パスワード万線の形成領域にモアレパターンを発生させる。このため、表示画面を単純に機械で読み取りしても、簡単にはパスワードを識別することができないため、システムへの攻撃耐性を向上できる。一方、通常の利用者に対しては、確認体を位置調整しながら隠し領域に重ね合わせればよく、作業が容易であり負担を少なくできる。
・第２の発明は、背景領域が確認パターンとは干渉しないパターンを有し、パスワード万線と同程度の色彩、濃度であるので、確認体を重ねていない場合には、縁取り万線の設置領域と背景領域との境界を不明瞭にすることができ、安全性を向上できる。また、確認体を位置調整しながら隠し領域に重ね合わせる場合には、背景の変化が少なく、モアレパターンのみを浮かび上がらせることができる。
・第３の発明は、縁取り万線を備えるので、確認体を載せた場合のモアレパターン（パスワード）の視認性を向上できる。また、縁取り万線がパスワード万線と同程度の色彩、濃度であるので、確認体を重ねていない場合には、パスワード万線の輪郭を不明瞭にすることができ、安全性を向上できる。
・第４の発明は、確認体にホログラムを設けることにより、確認体の美観（装飾性）を向上できる。また、ホログラムは、同じものをコピーして作製することが困難であるため、偽造防止効果が得られる。
・第５の発明は、隠し領域を表示画面に表示し、入力装置の入力がパスワードと一致するか否かを判定するので、例えば、判定結果に応じて情報の閲覧等を許可することにより、第１の発明と同様に、システムへの耐攻撃性を向上できる。
・第６の発明は、第１から第５の発明のパスワード確認システムの利用方法であるので、第１から第５の発明と同様な効果を奏する。
【図面の簡単な説明】
【０００９】
【図１】第１実施形態のパスワード確認システム１のブロック図である。
【図２】第１実施形態のパスワード確認方法を説明する図である。
【図３】第１実施形態の隠し領域３０の拡大図、確認シート４０の拡大図、隠し領域３０の観察されるパターンを説明する図である。
【図４】第１実施形態の確認シート４０のホログラムの記録方法を説明する図である。
【図５】第１実施形態のパスワード確認システム１の処理のフローチャートである。
【図６】第２実施形態の隠し領域２３０の拡大図、確認シート４０の拡大図、隠し領域２３０の観察されるパターンを説明する図（図３に対応する図）である。
【発明を実施するための形態】
【００１０】
（第１実施形態）
以下、図面等を参照して、本発明の第１実施形態について説明する。
図１は、第１実施形態のパスワード確認システム１のブロック図である。
図２は、第１実施形態のパスワード確認方法を説明する図である。
パスワード確認システム１は、サーバ１０と、サーバ１０にインターネット等の通信網２により接続されたパーソナルコンピュータ２０（以下「パソコン２０」という）とを備えている。サーバ１０及びパソコン２０は、通信網２を介して、情報通信可能である。
【００１１】
パスワード確認システム１は、パソコン２０からの要求に応じて、サーバ１０が閲覧情報をパソコン２０に送信して、パソコン２０のモニタ２１（表示装置）に表示するシステムである。サーバ１０は、パソコン２０に入力されたパスワードが正しいと判定した場合に、閲覧情報をパソコン２０に送信するようになっている。
図２に示すように、利用者は、パソコン２０のモニタ２１の表示画面に表示された隠し領域３０に、確認シート４０（確認体）をかざすことにより、隠し領域３０に隠されたパスワードを判読できるようになっている。
【００１２】
図１に示すように、サーバ１０は、サーバ記憶部１１、サーバ制御部１２を備えるコンピュータである。
サーバ記憶部１１は、サーバ１０の動作に必要なプログラム、情報等を記憶するためのハードディスク等の記憶装置である。
サーバ記憶部１１は、閲覧情報を記憶する閲覧情報記憶部１１ａを備える。
【００１３】
サーバ制御部１２は、サーバ１０を統括的に制御するための制御部であり、例えば、ＣＰＵ（中央処理装置）等から構成される。サーバ制御部１２は、サーバ記憶部１１に記憶された各種プログラムを適宜読み出して実行することにより、前述したハードウェアと協働し、本発明に係る各種機能を実現している。
サーバ制御部１２は、隠し領域作成部１２ａ、入力適否判定部１２ｂを備える。
隠し領域作成部１２ａは、パソコン２０に表示する隠し領域３０を作成する制御部である。
入力適否判定部１２ｂは、パソコン２０に入力されたパスワードを受け付け、隠し領域３０に隠されたパスワードと一致するか否かを判定する制御部である。
各制御部の処理の詳細は、後述する。
【００１４】
パソコン２０は、モニタ２１、操作部２２（入力装置）、パソコン制御部２３を備える。
モニタ２１は、隠し領域３０、閲覧情報等を表示する液晶表示装置等である。
操作部２２は、利用者がパスワード等を入力する装置である。操作部２２は、キーボード、テンキー、マウス等を備える。
パソコン制御部２３は、パソコン２０を統括的に制御するための制御部であり、例えば、ＣＰＵ等から構成される。パソコン制御部２３は、パソコン２０の記憶部（図示せず）に記憶された各種プログラムを適宜読み出して実行することにより、前述したハードウェアと協働し、本発明に係る各種機能を実現している。
パソコン制御部２３は、モニタ２１を制御したり、入力されたパスワードや閲覧情報等を必要に応じてサーバ１０との間で情報通信したりする。
【００１５】
図３は、第１実施形態の隠し領域３０の拡大図、確認シート４０の拡大図、隠し領域３０の観察されるパターンを説明する図である。
図３（ａ）は、隠し領域３０の拡大図である。
図３（ｂ）は、確認シート４０の拡大図である。
図３（ｃ）、図３（ｄ）は、隠し領域３０に確認シート４０を重ねた場合に観察されるパターンを示す。
なお、図３は、説明を簡単にするために、パスワード万線３１を矩形の領域で表した。つまり、この矩形の領域が、実際には、パスワードの文字等の形状をしている。
【００１６】
図３（ａ）に示すように、隠し領域３０は、パスワードを隠すための領域であり、モニタ２１の一部に配置される。
隠し領域３０は、パスワード万線３１、縁取り万線３２、背景領域３３を備える。
パスワード万線３１は、パスワードを形成する万線である。例えば、パスワードが「０４７１」であれば、パスワード万線３１は、「０４７１」と同形状である。パスワード万線３１は、ストライプ（縞模様）の規則的なパターンを有する。
縁取り万線３２は、パスワード万線３１の周囲に設けられ、パスワード万線３１を縁取るように構成される。縁取り万線３２は、パスワード万線３１に対して周期が半周期ずれている。縁取り万線３２は、パスワード万線３１と同程度の色彩、濃度を有する。
背景領域３３は、パスワード万線３１及び縁取り万線３２の背景に設けられ、確認パターン４２（後述する）とは干渉しないパターンを有する。背景領域３３は、パスワード万線３１及び縁取り万線３２と同程度の色彩、濃度を有する。
【００１７】
確認シート４０は、隠し領域３０よりも大きな面積を有するシート状の部材である。確認シート４０は、ホログラム層４１、確認パターン４２を備える。
ホログラム層４１は、エンボス型等のホログラムを有する層である。後述するように、ホログラム層４１は、ストライプのパターン（万線）の一部にホログラム画像を記録するようになっている。
確認パターン４２は、ホログラム層４１によって形成されたストライプのパターンである。確認パターン４２は、隠し領域３０に重ね合わせられることにより、パスワード万線３１の形成領域にモアレパターンを発生させる。
【００１８】
隠し領域３０の見え方について説明する。
前述したように、隠し領域３０は、パスワード万線３１、縁取り万線３２、背景領域３３が全て同程度の色彩、濃度である。このため、隠し領域３０は、確認シート４０が重ねられていない状態（図３（ａ）の状態）では、利用者は、パスワード万線３１、縁取り万線３２、背景領域３３の各領域及びこれらの境界を判別することはできず、パスワードを判読することはできない。同様に、表示画面を機械で読み取りしても、パスワードを識別することができない。
【００１９】
図３（ｃ）、図３（ｄ）に示すように、隠し領域３０に確認シート４０を重ねると、パスワード万線３１、縁取り万線３２が観察される。
図３（ｃ）は、以下の状態である。
・パスワード万線３１：ホログラムの確認パターン４２と干渉し、完全に黒色に観察される。
・縁取り万線３２：ホログラムの確認パターン４２と干渉し、背景領域３３よりも明るいグレーに観察される。
・背景領域３３：ホログラムの確認パターン４２と干渉しないため、グレーレベル（濃度）は、変化しない。
従って、背景領域３３に、白の縁取り（縁取り万線３２）のある黒色のモアレパターン（パスワード万線３１）が浮かび上がる。これにより、利用者は、パスワードを判読できる。
【００２０】
図３（ｄ）は、確認シート４０を、図３（ｃ）の場合よりも半周期ずらして、隠し領域３０上に載せた状態である。この場合には、以下のように観察される。
・パスワード万線３１：ホログラムの確認パターン４２と干渉し、背景領域３３よりも明るいグレーに観察される。
・縁取り万線３２：ホログラムの確認パターン４２と干渉し、完全に黒色に観察される。
・背景領域３３：図３（ｃ）と同様に、ホログラムと干渉しないため、グレーレベルは変化しない。
従って、背景領域３３に、黒の縁取り（縁取り万線３２）のある白色のモアレパターン（パスワード万線２３１）が浮かび上がる。これにより、利用者は、パスワードを判読できる。
【００２１】
このように、利用者は、確認シート４０を位置調整しながら隠し領域３０に重ね合わせればパスワードを判読できる。これにより、パスワード確認システム１は、利用者の判読作業が容易であり、利用者への負担を少なくできる。また、縁取り万線３２を備えるので、パスワード万線３１の輪郭を明確に確認できるため、パスワードを判読しやすい。
一方、表示画面を機械で読み取りしても、確認シート４０の位置を調整する必要があるため、簡単にはパスワードを識別することができない。これにより、パスワード確認システム１は、攻撃耐性を向上できる。
【００２２】
図４は、第１実施形態の確認シート４０のホログラムの記録方法を説明する図である。
確認シート４０のホログラムは、以下のように作成した。
（１）パスワード万線３１及び縁取り万線３２に干渉するようなパターンが印刷されたフィルム５０を作成した。
（２）フィルム５０と、ホログラム記録前の感光フィルム（確認シート４０）とを重ねて紫外線を照射した。
（３）この後に、ホログラムの露光を行った。これにより、上記（２）で紫外線が照射されていない部分にホログラム記録部分４１ａを形成し、紫外線が照射され既に感光している部分にホログラム未記録部分４１ｂを形成した。
【００２３】
以上により、ホログラム記録部分４１ａにホログラム画像を記録するとともに、ホログラム記録部分４１ａ及びホログラム未記録部分４１ｂによって、パスワード万線３１及び縁取り万線３２に干渉する確認パターン４２を記録できた。
なお、実施形態では、確認シート４０にホログラムを設けることにより、確認シート４０の美観（装飾性）を向上できる。また、ホログラムは、同じものをコピーして作製することが困難であるため、偽造防止効果を向上できる。
【００２４】
パスワード確認システム１の使用方法、動作について説明する。
図５は、第１実施形態のパスワード確認システム１の処理のフローチャートである。
最初に、ステップＳ（以下「Ｓ」という）１において、利用者の操作部２２の操作に応じて、パソコン制御部２３は、パソコン２０をサーバ１０にアクセスし、閲覧情報の閲覧要求をする。
Ｓ２において、サーバ制御部１２は、閲覧要求に応じて、パスワードを決定し、サーバ記憶部１１に記憶する。サーバ制御部１２は、パスワードとして、例えば４桁の数字を無作為（ランダム）に決定する。
Ｓ３において、隠し領域作成部１２ａは、パスワードをパスワード万線３１の形状にした図形を作成し、これを背景領域３３内に配置した隠し領域３０の画像を作成し、パソコン２０に送信する。
【００２５】
Ｓ４において、パソコン制御部２３は、受信した隠し領域３０の画像を、モニタ２１に表示する（図２（ａ）参照）。
利用者は、隠し領域３０が表示されると、確認シート４０を隠し領域３０に重ね合わせ（確認シート重ね合わせ工程）、確認シート４０を位置調整しながら、モアレパターンを浮かび上がらせて、パスワードを読み取る（パスワード読み取り工程）。そして、利用者は、読み取ったパスワードを、操作部２２を操作して入力する（パスワード入力工程）。
Ｓ５において、パソコン制御部２３は、入力されたパスワードをサーバ１０に送信する。
【００２６】
Ｓ６において、入力適否判定部１２ｂは、パスワードを受信すると、これがＳ２で作成したパスワードと一致するか否かを判定する。入力適否判定部１２ｂは、一致すると判定した場合には（Ｓ６：ＹＥＳ）、適合と判定してＳ７に進み、一方、不一致と判定した場合には（Ｓ６：ＮＯ）、不適合と判定してＳ６ａに進む。
【００２７】
Ｓ６ａにおいて、サーバ制御部１２は、不一致報知画面をパソコン２０に送信し、サーバ１０側の処理を終了する（Ｓ８）。
この不一致報知画面は、例えば「入力したパスワードが違います」等というメッセージを表示することにより、利用者に対して、隠しパターンに組み込んだパスワードと、利用者が入力したパスワードが不一致であることを報知する画面である。
一方、Ｓ７において、サーバ制御部１２は、閲覧情報記憶部１１ａから閲覧画面を読み出して、パソコン２０に送信し、サーバ１０側の処理を終了する（Ｓ８）。
【００２８】
Ｓ９において、パソコン制御部２３は、受信した画面をモニタ２１に表示する。パソコン制御部２３は、閲覧画面を受信した場合には、閲覧画面を表示し、一方、不一致報知画面を受信した場合には、不一致報知画面を表示する。そして、パソコン制御部２３は、パソコン２０側の処理を終了する（Ｓ１０）。
【００２９】
以上説明したように、本実施形態のパスワード確認システム１は、モニタ２１の表示画面を機械読み取りしても、簡単にはパスワードを識別することができないため、攻撃耐性を向上できる。一方、利用者に対しては、確認シート４０を位置調整しながら隠し領域３０に重ね合わせればよく、作業が容易である。
また、パスワード確認システム１は、確認シート４０が重ねていない場合には、各領域の境界を不明瞭にすることができ、安全性を向上できる。
【００３０】
（第２実施形態）
次に、本発明の第２実施形態について説明する。
なお、以下の説明及び図面において、前述した第１実施形態と同様の機能を果たす部分には、同一の符号又は末尾に同一の符号を付して、重複する説明を適宜省略する。
図６は、第２実施形態の隠し領域２３０の拡大図、確認シート４０の拡大図、隠し領域２３０の観察されるパターンを説明する図（図３に対応する図）である。
図６（ａ）に示すように、隠し領域２３０は、パスワード万線２３１、背景領域２３３を備える。つまり、第２実施形態では、縁取り万線３２を設けていない。
【００３１】
隠し領域２３０の見え方について説明する。
隠し領域２３０は、パスワード万線２３１、背景領域２３３が同程度の色彩、濃度である。このため、隠し領域２３０に確認シート４０が重ねられていない状態（図６（ａ）の状態）では、利用者は、パスワード万線２３１、背景領域２３３の各領域及びこれらの境界を判別することはできず、パスワードを判読することはできない。同様に、表示画面を機械で読み取りしても、パスワードを識別することができない。
【００３２】
図６（ｃ）、図６（ｄ）に示すように、隠し領域２３０に確認シート４０を重ねると、パスワード万線２３１、縁取り万線３２が観察される。
図６（ｃ）は、以下の状態である。
・パスワード万線２３１：ホログラムの確認パターン４２と干渉し、完全に黒色に観察される。
・背景領域２３３：ホログラムと干渉しないため、グレーレベル（濃度）は、変化しない。
従って、背景領域２３３に、黒色のモアレパターン（パスワード万線２３１）が浮かび上がる。これにより、利用者は、パスワードを判読できる。
【００３３】
図６（ｄ）は、確認シート４０を、図６（ｃ）の場合よりも半周期ずらして、隠し領域２３０上に載せた状態である。この場合には、以下のように観察される。
・パスワード万線２３１：ホログラムの確認パターン４２と干渉し、背景領域２３３よりも明るいグレーに観察される。
・背景領域２３３：図６（ｃ）と同様に、ホログラムと干渉しないため、グレーレベルは変化しない。
従って、背景領域２３３に、白色（明るいグレー）のモアレパターン（パスワード万線２３１）が浮かび上がる。これにより、利用者は、パスワードを判読できる。
【００３４】
このように、第２実施形態では、縁取り万線３２を設けなくても、パスワード万線２３１を確認して、パスワードを判読できる。
【００３５】
以上、本発明の実施形態について説明したが、本発明は前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態は、適宜組み合わせて用いることもできるが、詳細な説明は省略する。
【符号の説明】
【００３６】
１  パスワード確認システム
１０  サーバ
１１  サーバ記憶部
１２  サーバ制御部
２０  パソコン
２１，２３１  モニタ
２２  操作部
３０，２３０  隠し領域
３１，２３１  パスワード万線
３２，２３２  縁取り万線
３３，２３３  背景領域
４０  確認シート
４１  ホログラム層
４２  確認パターン
【図１】
2013061730.tif 000003
【図２】
2013061730.tif 000004
【図３】
2013061730.tif 000005
【図４】
2013061730.tif 000006
【図５】
2013061730.tif 000007
【図６】
2013061730.tif 000008